【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】プリントシステム、撮像装置及びその制御方法、プリント出力方法、プログラム、並びにコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
撮影される被写界の光学像を画像情報に変換する撮像装置と、
前記撮像装置によって撮像された画像を記録用紙に視認可能にプリント出力するプリンタ装置とが接続されたプリントシステムであって、
前記プリンタ装置に装着されている記録用紙種とプリントスタイルとによって前記撮像装置の画像情報のリサイズ目標値を変えるリサイズ目標値設定手段と、
前記リサイズ目標値に応じて前記プリンタ装置がプリント出力するプリントデータを生成するプリントデータ生成手段とを備えたことを特徴とするプリントシステム。
【請求項２】
前記撮像装置は保存されている画像データの一部を切り出して印刷するトリミング機能を具備し、
前記切り出し領域を前記プリンタ装置に装着されている記録用紙種とプリントスタイルとによって変えることを特徴とする請求項１に記載のプリントシステム。
【請求項３】
前記プリンタ装置に装着される記録用紙サイズの検出手段を具備し、その記録用紙サイズ情報を前記撮像装置との間で共有することを特徴とする請求項１に記載のプリントシステム。
【請求項４】
前記プリントスタイルとしてプリント出力後に記録用紙内に余白が残るプリントスタイルと余白が残らない全面プリントスタイルとを有することを特徴とする請求項１に記載のプリントシステム。
【請求項５】
前記撮像装置が具備する表示手段上にトリミング処理される領域を示す枠を表示することを特徴とする請求項１に記載のプリントシステム。
【請求項６】
前記プリンタ装置は、複数の加熱素子がライン状に並んだ加熱手段を備え、加熱することにより記録紙に転写されるインクを塗布した色インク層と加熱することにより記録紙に印画する熱転写記録方式プリンタであることを特徴とする請求項１に記載のプリントシステム。
【請求項７】
前記プリンタ装置は、被記録部材上に記録液体のドットにより文字または画像を記録するために記録液体を吐出する記録手段を有したインクジェット記録方式プリンタであることを特徴とする請求項１に記載のプリントシステム。
【請求項８】
撮影される被写界の光学像を画像情報に変換する撮像手段を備え、前記撮像手段によって撮像された画像を記録用紙に視認可能にプリント出力するプリンタ手段と通信可能とされた撮像装置であって、
前記プリンタ手段に装着されている記録用紙種とプリントスタイルとによって前記画像情報のリサイズ目標値を変えるリサイズ目標値設定手段と、
前記リサイズ目標値に応じて前記プリンタ手段がプリント出力するプリントデータを生成するプリントデータ生成手段とを備えたことを特徴とする撮像装置。
【請求項９】
前記プリンタ手段を一体的に有することを特徴とする請求項８に記載の撮像装置。
【請求項１０】
撮影される被写界の光学像を画像情報に変換する撮像手段を備え、前記撮像手段によって撮像された画像を記録用紙に視認可能にプリント出力するプリンタ手段と通信可能とされた撮像装置であって、
前記プリンタ手段に装着されている記録用紙種を認識する手段と、
前記プリンタ手段に装着されている記録用紙種とプリントスタイルとによって前記画像情報のリサイズ目標値を変えるリサイズ目標値設定手段と、
前記リサイズ目標値に応じて前記プリンタ手段がプリント出力するためのデータを生成する生成手段とを備えており、
前記リサイズ目標値設定手段は、前記プリントスタイルとして縁無し印刷が設定されている場合には、前記画像情報を、認識された記録用紙よりも大きくなるようにリサイズ目標値を設定し、前記プリントスタイルとして縁有り印刷が設定されている場合には、前記画像情報を前記記録用紙より小さくなるように前記リサイズ目標値を設定することを特徴とする撮像装置。
【請求項１１】
撮像装置によって撮像された画像を記録用紙に視認可能にプリント出力するためのプリント出力方法であって、
プリント出力に用いられる記録用紙種とプリントスタイルとによって前記撮像装置により得られる画像情報のリサイズ目標値を変えるリサイズ目標値設定手順と、
前記リサイズ目標値に応じてプリント出力するプリントデータを生成するプリントデータ生成手順とを有することを特徴とするプリント出力方法。
【請求項１２】
撮影される被写界の光学像を画像情報に変換する撮像手段を備え、前記撮像手段によって撮像された画像を記録用紙に視認可能にプリント出力するプリンタ手段と通信可能とされた撮像装置の制御方法であって、
前記プリンタ手段に装着されている記録用紙種を認識する手順と、
前記プリンタ手段に装着されている記録用紙種とプリントスタイルとによって前記画像情報のリサイズ目標値を変えるリサイズ目標値設定手順と、
前記リサイズ目標値に応じて前記プリンタ手段がプリント出力するためのデータを生成する生成手順とを有し、
前記リサイズ目標値設定手順では、前記プリントスタイルとして縁無し印刷が設定されている場合には、前記画像情報を、認識された記録用紙よりも大きくなるようにリサイズ目標値を設定し、前記プリントスタイルとして縁有り印刷が設定されている場合には、前記画像情報を前記記録用紙より小さくなるように前記リサイズ目標値を設定することを特徴とする撮像装置の制御方法。
【請求項１３】
撮影される被写界の光学像を画像情報に変換する撮像装置と、前記撮像装置によって撮像された画像を記録用紙に視認可能にプリント出力するプリンタ装置とが接続されたプリントシステムを制御するためのプログラムであって、
前記プリンタ装置に装着されている記録用紙種とプリントスタイルとによって前記撮像装置の画像情報のリサイズ目標値を変えるリサイズ目標値設定処理と、
前記リサイズ目標値に応じて前記プリンタ装置がプリント出力するプリントデータを生成するプリントデータ生成処理とを実行させることを特徴とするプログラム。
【請求項１４】
撮影される被写界の光学像を画像情報に変換する撮像手段を備え、前記撮像手段によって撮像された画像を記録用紙に視認可能にプリント出力するプリンタ手段と通信可能とされた撮像装置を制御するためのプログラムであって、
前記プリンタ手段に装着されている記録用紙種とプリントスタイルとによって前記画像情報のリサイズ目標値を変えるリサイズ目標値設定処理と、
前記リサイズ目標値に応じて前記プリンタ手段がプリント出力するプリントデータを生成するプリントデータ生成処理とを実行させることを特徴とするプログラム。
【請求項１５】
撮影される被写界の光学像を画像情報に変換する撮像手段を備え、前記撮像手段によって撮像された画像を記録用紙に視認可能にプリント出力するプリンタ手段と通信可能とされた撮像装置を制御するためのプログラムであって、
前記プリンタ手段に装着されている記録用紙種を認識する処理と、
前記プリンタ手段に装着されている記録用紙種とプリントスタイルとによって前記画像情報のリサイズ目標値を変えるリサイズ目標値設定処理と、
前記リサイズ目標値に応じて前記プリンタ手段がプリント出力するためのデータを生成する生成処理とをコンピュータに実行させ、
前記リサイズ目標値設定処理では、前記プリントスタイルとして縁無し印刷が設定されている場合には、前記画像情報を、認識された記録用紙よりも大きくなるようにリサイズ目標値を設定し、前記プリントスタイルとして縁有り印刷が設定されている場合には、前記画像情報を前記記録用紙より小さくなるように前記リサイズ目標値を設定することを特徴とするプログラム。
【請求項１６】
請求項１３〜１５のいずれか１項に記載のプログラムを格納したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、熱転写記録方式プリンタやインクジェット記録方式プリンタを用いるプリントシステム、撮像装置及びその制御方法、プリント出力方法、プログラム、並びにコンピュータ読み取り可能な記憶媒体に関し、より具体的には静止画を記録するスチルカメラやビデオカメラ等の撮像装置によって撮像された画像をプリント出力するのに好適なプリントシステムに関するものである。
【手続補正４】
【補正対象書類名】明細書
【補正対象項目名】００１４
【補正方法】変更
【補正の内容】
【００１４】
本発明の撮像装置は、撮影される被写界の光学像を画像情報に変換する撮像手段を備え、前記撮像手段によって撮像された画像を記録用紙に視認可能にプリント出力するプリンタ手段と通信可能とされた撮像装置であって、前記プリンタ手段に装着されている記録用紙種とプリントスタイルとによって前記画像情報のリサイズ目標値を変えるリサイズ目標値設定手段と、前記リサイズ目標値に応じて前記プリンタ手段がプリント出力するプリントデータを生成するプリントデータ生成手段とを備えた点に特徴を有する。
本発明の他の撮像装置は、撮影される被写界の光学像を画像情報に変換する撮像手段を備え、前記撮像手段によって撮像された画像を記録用紙に視認可能にプリント出力するプリンタ手段と通信可能とされた撮像装置であって、前記プリンタ手段に装着されている記録用紙種を認識する手段と、前記プリンタ手段に装着されている記録用紙種とプリントスタイルとによって前記画像情報のリサイズ目標値を変えるリサイズ目標値設定手段と、前記リサイズ目標値に応じて前記プリンタ手段がプリント出力するためのデータを生成する生成手段とを備えており、前記リサイズ目標値設定手段は、前記プリントスタイルとして縁無し印刷が設定されている場合には、前記画像情報を、認識された記録用紙よりも大きくなるようにリサイズ目標値を設定し、前記プリントスタイルとして縁有り印刷が設定されている場合には、前記画像情報を前記記録用紙より小さくなるように前記リサイズ目標値を設定する点に特徴を有する。
【手続補正５】
【補正対象書類名】明細書
【補正対象項目名】００１５
【補正方法】変更
【補正の内容】
【００１５】
本発明のプリント出力方法は、撮像装置によって撮像された画像を記録用紙に視認可能にプリント出力するためのプリント出力方法であって、プリント出力に用いられる記録用紙種とプリントスタイルとによって前記撮像装置により得られる画像情報のリサイズ目標値を変えるリサイズ目標値設定手順と、前記リサイズ目標値に応じてプリント出力するプリントデータを生成するプリントデータ生成手順とを有する点に特徴を有する。
本発明の撮像装置の制御方法は、撮影される被写界の光学像を画像情報に変換する撮像手段を備え、前記撮像手段によって撮像された画像を記録用紙に視認可能にプリント出力するプリンタ手段と通信可能とされた撮像装置の制御方法であって、前記プリンタ手段に装着されている記録用紙種を認識する手順と、前記プリンタ手段に装着されている記録用紙種とプリントスタイルとによって前記画像情報のリサイズ目標値を変えるリサイズ目標値設定手順と、前記リサイズ目標値に応じて前記プリンタ手段がプリント出力するためのデータを生成する生成手順とを有し、前記リサイズ目標値設定手順では、前記プリントスタイルとして縁無し印刷が設定されている場合には、前記画像情報を、認識された記録用紙よりも大きくなるようにリサイズ目標値を設定し、前記プリントスタイルとして縁有り印刷が設定されている場合には、前記画像情報を前記記録用紙より小さくなるように前記リサイズ目標値を設定する点に特徴を有する。
【手続補正６】
【補正対象書類名】明細書
【補正対象項目名】００１７
【補正方法】変更
【補正の内容】
【００１７】
本発明の他のプログラムは、撮影される被写界の光学像を画像情報に変換する撮像手段を備え、前記撮像手段によって撮像された画像を記録用紙に視認可能にプリント出力するプリンタ手段と通信可能とされた撮像装置を制御するためのプログラムであって、前記プリンタ手段に装着されている記録用紙種とプリントスタイルとによって前記画像情報のリサイズ目標値を変えるリサイズ目標値設定処理と、前記リサイズ目標値に応じて前記プリンタ手段がプリント出力するプリントデータを生成するプリントデータ生成処理とを実行させる点に特徴を有する。
本発明の他のプログラムは、撮影される被写界の光学像を画像情報に変換する撮像手段を備え、前記撮像手段によって撮像された画像を記録用紙に視認可能にプリント出力するプリンタ手段と通信可能とされた撮像装置を制御するためのプログラムであって、前記プリンタ手段に装着されている記録用紙種を認識する処理と、前記プリンタ手段に装着されている記録用紙種とプリントスタイルとによって前記画像情報のリサイズ目標値を変えるリサイズ目標値設定処理と、前記リサイズ目標値に応じて前記プリンタ手段がプリント出力するためのデータを生成する生成処理とをコンピュータに実行させ、前記リサイズ目標値設定処理では、前記プリントスタイルとして縁無し印刷が設定されている場合には、前記画像情報を、認識された記録用紙よりも大きくなるようにリサイズ目標値を設定し、前記プリントスタイルとして縁有り印刷が設定されている場合には、前記画像情報を前記記録用紙より小さくなるように前記リサイズ目標値を設定する点に特徴を有する。